(57)【要約】      （修正有）【課題】特に既存什器に汎用的に使用することができ、多数の商品を効率よく陳列でき、購買意欲を喚起できるようにしたフェースアウト陳列補助具を提供する。【解決手段】フェースアウト陳列補助具４は、既存什器２に汎用的に装着して使用することができる支持体５と、支持体５に着脱自在に係止され商品Ｇを陳列支持する係止体６と、から構成されており、多数の商品Ｇを陳列することができる。また、フェースアウト陳列補助具４を構成する支持体５は、既存什器２の上梁２３と下梁２４とに固定される後支持柱と、後支持柱の前方に後支持柱に平行に立設された前支持柱と、後支持柱と前支持柱との相互の下部を連結する下桟と、下桟と所定間隔を開けて上方の後支持柱と前支持柱の相互を連結する上桟と、から構成されている。【選択図】図７
0003121264.tif 000002
【実用新案登録請求の範囲】
【請求項１】
前後に並行に段差を設けて直立する複数の支持柱の相互を上下桟により夫々連結させることにより枠状に形成されると共に、既存什器に取付固定可能な支持体と、
これら支持体の各支持柱に係止されると共に、多数のハンガーを係止させることができるＬ字状フックを有する係止体と、から構成され、
既存什器に取付けることより多数の商品の前面を見易く展示陳列することにより需要を喚起できる、
ことを特徴とするフェースアウト陳列補助具。
【請求項２】
前後に並行に段差を設けて直立する支持柱のうち後支持柱が、
矩形の枠体に形成された既存什器の上下に配設された上下梁または上下のブラケット付取付桟に、取付ねじ等によって取付固定されることにより、
既存什器と一体形成された、
ことを特徴とする請求項１記載のフェースアウト陳列補助具。
【請求項３】
支持体は、
既存什器の上下に配設された上下梁または上下のブラケット付取付桟に取付固定される後支持柱と、
該後支持柱の前方に後支持柱に段差を設けて平行に立設された前支持柱と、
該後支持柱と前支持柱の相互を所定間隔を設けて連結する上桟と下桟と、
から構成され枠状に形成されている、
ことを特徴とする請求項１記載のフェースアウト陳列補助具。
【請求項４】
前支持柱と後支持柱は、
中空筒材から形成されると共に、
前面の上部に並行配列された多数の係止孔が所定間隔で開設されている、
ことを特徴とする請求項１〜請求項３の何れかに記載のフェースアウト陳列補助具。
【請求項５】
上桟と下桟は、
後支持柱と前支持柱の相互の所定箇所を夫々溶接等の接合手段により固定して枠状に連結している。
ことを特徴とする請求項１〜請求項３の何れかに記載のフェースアウト陳列補助具。
【請求項６】
係止体は、
後支持柱と前支持柱に並行配列された多数の係止孔に着脱自在に係止されるように並行配列された多数の係止突起が所定間隔で多数突設形成された係止具と、
該係止具が溶接等の接合手段により一体形成されたＬ字状のフックと、
から構成されている、
ことを特徴とする請求項１記載のフェースアウト陳列補助具。
【請求項７】
フックは、水平部分の先端と後端にストッパが立設形成されている、
ことを特徴とする請求項６記載のフェースアウト陳列補助具。
【考案の詳細な説明】
【技術分野】
【０００１】  本考案は、フェースアウト陳列補助具に関し、特に既存什器に汎用的に使用することができ、多数の商品を効率よく陳列でき、購買意欲を喚起できるようにしたフェースアウト陳列補助具に関するものである。
【背景技術】
【０００２】  従来より、一般に多数の商品Ｇ、例えばアンダーウェアを多数陳列する場合、クランク状フックＣを多数使用して陳列する方法が採られたが、このクランク状フックＣが商品Ｇよりも目立ち過ぎる欠点があるばかりでなく、このクランク状フックＣが邪魔するので後側の商品Ｇを取出し難いという問題点があった（図１）。【０００３】  また、アングル状フックＡを多数使用する方法にあっては、上記クランク状フックＣに比して陳列商品Ｇの数が限定されることや他のフックと組合せて陳列する必要がある等の問題点があった（図２）。【０００４】  さらに、このアングル状フックＡを使用する方法にあっては、陳列する商品Ｇの重量によってアングル状フックＡが付け根のところから変形し、見栄えが悪いばかりでなく、やがては損傷する不具合を生じる場合があるという問題点があった（図３）。
【考案の開示】
【考案が解決しようとする課題】
【０００５】  このような従来技術の問題点に鑑み、本考案の主な目的は、
多数の商品をスムーズに展示でき、しかも商品を出し入れし易く、作業効率を改善させると共に、既存什器に取付けることより多数の商品の前面を見易く展示陳列することにより需要を喚起でき、本来の機能を充分発揮することができる、既存の既存什器に追加的に使用可能なフェースアウト陳列補助具を提供することにある。
【課題を解決するための手段】
【０００６】  このような目的は、本考案によれば、
前後に並行に段差を設けて直立する複数の支持柱の相互を上下桟により夫々連結させることにより枠状に形成されると共に、既存什器に取付固定可能な支持体と、
これら支持体の各支持柱に係止されると共に、多数のハンガーを係止させることができるＬ字状フックを有する係止体と、から構成され、
既存什器に取付けることより多数の商品の前面を見易く展示陳列することにより需要を喚起できる、
ことを特徴とするフェースアウト陳列補助具、を提供することにより達成される。
【考案の効果】
【０００７】  このように、本考案によれば、前後に並行に直立する複数の支持柱を複数備えており、該支持柱に昇降自在にＬ字状のフック設け、該前後左右のフックにて多数の商品の前面を見易く展示陳列することにより需要を喚起でき、展示作業を迅速に行うことができ、従来の問題点を解消することができる（図４〜図１２）。【０００８】  すなわち、
（１）これにより、多数の商品を什器や商品に邪魔されることなく簡単かつ確実に陳列でき、しかも陳列がすっきりしており、従来の陳列中に陳列が乱雑となり易いという不具合を解消できるフェースアウト陳列補助具にて陳列することが出来るという効果がある。
（２）また、衣料品等の商品を簡単かつ確実に支持することができ、陳列作業を迅速に行うことができるので、従来の陳列作業が煩雑であるという問題点を解消することができ、商品の陳列に当たり、陳列作業が容易になるという効果がある。
（３）さらに、多数の商品の前面を見易く陳列することにより購買者に見易くでき、商品主体の陳列ができるので需要を喚起でき、販売促進効果を向上でき、本来機能を充分発揮できる、従来の係止具が商品よりも目立ち過ぎる問題点を解消できるという効果がある。
（４）また、本考案の補助具は、陳列商品に合わせて相互間隔を調整できるから、陳列商品に最適な陳列配置とすることができ、多数商品を購買者に見易くして陳列できるので、販売促進効果を向上でき、本来の機能を充分発揮できるという効果がある。
（５）さらに、本考案の補助具は、商品に合わせて前後方向に２段、３段と、多段配列でき、また左右にも複数配列でき、相互配置を調整できるから、最適な陳列配置ができ、多数商品を購買者に見易く、しかも取外し易く陳列でき、販売促進効果を向上でき、本来の機能を充分発揮できるという効果がある。
（６）また、多数商品を円滑に支持できるので、多数商品の陳列にあっても容易に作業ができ、従来の陳列作業に時間がかかるという問題点を解消できるという効果がある。
（７）また、多数商品を出入れ可能に重ねて陳列でき、従来の係止具が邪魔するので後側の商品を取出し難いという問題点を解消できるという効果がある。
（８）さらに、商品に応じて好適な陳列配置が出来る他、これ以外の一般的な商品に同要領にて使用できる為、汎用的に幅広く使用できるという極めて大なる効果がある。
【考案を実施するための最良の形態】
【０００９】  次に、本考案を添付の図面を参照して、特定の実施の形態について詳述する。【００１０】  本考案のフェースアウト陳列補助具は、
前後に並行に段差を設けて直立する複数の支持柱の相互を上下桟により夫々連結させることにより枠状に形成されると共に、既存什器に取付固定可能な支持体と、
これら支持体の各支持柱に係止されると共に、多数のハンガーを係止させることができるＬ字状フックを有する係止体と、から構成され、
既存什器に取付け、係止体にて多数の商品の前面を見易くして展示陳列することにより、商品の陳列作業が簡単かつ確実になり、該作業を迅速に行うことができると共に、
需要を喚起して販売促進効果を向上させることができ、
従来の問題点の解消を図り使用勝手を飛躍的に向上させたものとなる優れたものとなる。
【実施例１】
【００１１】  図４〜図１２は、本考案に基づくフェースアウト陳列補助具の実施の形態の第一実施例を示している。【００１２】  以下に添付の図面を参照して、本考案を特定の実施例について詳述する。【００１３】  図４〜図１２は、本考案の一実施例を示し、
本考案のフェースアウト陳列補助具３は、既存什器２に汎用的に使用することができ、多数の商品Ｇを前後左右に多層的に陳列できるものである。【００１４】  該既存什器２は、例えば、図４ｇに良く示されているように、次のようなものがあり、所定間隔を開けて平行に配設され床面等に配置される矩形体からなる基台２１、２１と、基台２１、２１に立設されると共に、相互に平行に配設された支柱２２、２２と、
支柱２２、２２の相互の上部を連結する上梁２３と、
支柱２２、２２の相互の下部を連結すると共に、上梁２３に平行に配設された下梁２４と、から構成され、矩形の枠体に形成されており、
既存のものをそのまま利用して使用することができるので、新たに製作したり購入したりする必要はない。【００１５】  また、この既存什器２を構成する支柱２２の前面２２ａには、多数の矩形スリット状の取着孔２２ｂ、２２ｂ…が縦１列に所定間隔で開設されている。【００１６】  さらに、本実施例にあっては、図４ｈに良く示されているように、既存什器２の上部と下部にブラケット付取付桟３、３が、前記既存什器２に装着固定されている。【００１７】  また、上記ブラケット付取付桟３、３は、図５と図６に良く示されているように、
中空角筒状に形成された取付桟３１と、
該取付桟３１の端部の内側に嵌合される中空角筒状に形成された嵌合桟３２と、
該取付桟３１と嵌合桟３２の両端部に固定されると共に、上記取着孔２２ｂに着脱自在に係止される多数の係止突起３３ａ、３３ａ…が所定間隔で多数突設形成されたブラケット３３と、から構成されており、
該係止突起３３ａ、３３ａ…を上記多数の取着孔２２ｂ、２２ｂ…に着脱自在に取着して、上記支柱２２、２２に上下方向に所定間隔を開けて夫々固定することによって、前記既存什器２に装着固定されている。【００１８】  この既存什器２に汎用的に使用することで商品Ｇを陳列して展示することができるフェースアウト陳列補助具４は、図７ｉと図７ｊに良く示されているように、
既存什器２に汎用的に装着して使用することができる支持体５と、
該支持体５に着脱自在に係止され商品Ｇを陳列支持する係止体６と、
から構成されており、多数の商品Ｇを陳列することができる。【００１９】  また、前記フェースアウト陳列補助具４を構成する支持体５は、
図８〜図９に良く示されているように、
前記支柱２２、２２に上下方向に所定間隔を開けて夫々固定することにより、前記既存什器２に装着固定されている前記ブラケット付取付桟３、３に固定される後支持柱５１と、該後支持柱５１の前方に後支持柱５１に平行に立設された前支持柱５２と、
該後支持柱５１と前支持柱５２との相互の下部を連結する下桟５３と、
該下桟５３と所定間隔を開けて該下桟５３より上方の後支持柱５１と前支持柱５２の相互を連結する上桟５４と、
該後支持柱５１の背面に固定された複数（本実施例にあっては２個）の取付体５５と、
から構成されている。【００２０】  この後支持柱５１と前支持柱５２は、図８と図９に良く示されているように、
矩形の中空筒材から形成されると共に、前面５１ａ、５２ａの上部に２列に並行配列された多数の矩形スリット状の係止孔５８、５８、……が、所定間隔で開設されている。【００２１】  また、前記下桟５３と上桟５４は、図８〜図９に良く示されているように、
矩形の中空筒材から形成されると共に、上下に所定間隔を開けて配設され、後支持柱５１と前支持柱５２の相互を溶接等の接合手段により固定して枠状に連結している。【００２２】  上記既存什器２にフェースアウト陳列補助具４を装着するは、
図７に良く示されているように、
既存什器２に目的に応じて所定数（本実施例にあっては２個）の支持体５を固定することによって行い、
既存什器２の上下方向に所定間隔を開けて固定されているブラケット付取付桟３、３に、支持体５を構成する後支持柱５１を２個左右方向に所定間隔を開けて夫々装着固定することによって行う。【００２３】  これら２個のブラケット付取付桟３、３に後支持柱５１を装着固定するのは、
図１０に良く示されているように、
２個のブラケット付取付桟３、３に後支持柱５１をねじ締結することによって行い、
後支持柱５１の背面に固定された取付体５５によって行う。【００２４】  この取付体５５は、図１０に良く示されているように、
後支持柱５１の背面に溶接等により固定された断面コの字状の取忖片５６と、
該取付片５６の下辺に上向きにねじ止された取付ねじ５７と、から構成されており、
取付片５６の上辺５６ａと取付ねじ５７の先端（上端）との間に、前記ブラケット付取付桟３を配設して、取付ねじ５７にて締結することによって、複数のフェースアウト陳列補助具４を前記既存什器２に所定間隔を開けて装着固定することができる。【００２５】  尚、これらブラケット付取付桟３、３に後支持柱５１を装着固定するのは、上記実施例のねじ締結に限られることなく、溶接等により固定するものも良いのは勿論である。【００２６】  一方、前記フェースアウト陳列補助具４を構成する係止体６は、
図７と図１１〜図１２に良く示されているように、
前記後支持柱５１と前支持柱５２に２列に並行配列された多数の矩形スリット状の係止孔５８、５８、……の何れかに夫々着脱自在に係止される係止具６１と、
該係止具６１が背面に溶接等の接合手段により一体形成されたＬ字状に形成されたフック６２と、から構成されている。【００２７】  この係止具６１は、図１１〜図１２に良く示されているように、
前記２列に並行配列された多数の矩形スリット状の係止孔５８、５８、……の何れかに夫々着脱自在に係止されるように並行配列することで支持強度を向上させた多数の係止突起６１ａが所定間隔で多数突設形成されると共に、フック６２の背面に溶接等の接合手段により一体に固定されており、
該多数の係止突起６１ａが前記２列に並行配列された多数の矩形スリット状の係止孔５８、５８、……に着脱自在に係止することによって、該後支持柱５１と前支持柱５２に夫々係止固定されている。【００２８】  また、上記フック６２は、断面円形の丸棒からなり、
垂直部分と水平部分とからなるＬ字状に形成されており、水平部分の上面の先端と後端には、ハンガーの脱落を阻止するためのストッパ６３、６３が夫々立設されている。【００２９】  このような本考案によれば、前後左右に多数配設された複数のフックにて多数の商品をハンガーを介する等して簡単かつ確実に陳列でき、陳列作業を迅速に行うことができると共に、前後に多段配設されているフックにて多数の商品の前面を見易く展示陳列することにより購買者の需要を喚起でき、販売促進効果を向上できるので、従来技術の問題点の解消を図り、使用勝手を飛躍的に向上させた優れたものとなる。【００３０】  尚、本考案は、上記実施例の構成に限られることなく、上記実施例の構成に追加することや、他の構成で置換する等することができ、種々の変形例が考えられ、材質や形状或いは構成等を変えた他の実施例とすることができるのは勿論である。【００３１】  次に、本考案の使用方法を上記実施の形態の第１例のフェースアウト陳列補助具４によって詳述する。【００３２】  本考案のフェースアウト陳列補助具４にあっては、
前後左右に多数配設された複数のフックにて多数の商品をハンガーを介する等して簡単かつ確実に陳列でき、陳列作業を迅速に行うことができると共に、前後に多段配設されているフックにて多数の商品の前面を見易くして展示陳列することにより、陳列する商品主体の陳列をできるので、需要を喚起して販売促進効果を向上させることができ、従来の係止具が商品よりも目立ち過ぎることや陳列が乱雑となり易いことや陳列作業が煩雑であるといった問題点を解消することができるものである。【００３３】  すなわち、図４〜図１２に良く示されているように、
（１）まず、ブラケット３３の係止突起３３ａ、３３ａ…を取着孔２２ｂ、２２ｂに着脱自在に取着して、支柱２２、２２に上下方向に所定間隔を開けて夫々固定することによって、既存什器２にブラケット付取付桟３、３を装着固定する（図４）。
（２）次に、既存什器２に本考案フェースアウト陳列補助具４を装着固定する（図７）。
（３）このフェースアウト陳列補助具４の装着は、既存什器２に目的に応じて所定数（本実施例にあっては、２個）の支持体５を固定することによって行い、既存什器２に固定されたブラケット付取付桟３、３に支持体５の後支持柱５１を２個左右方向に所定間隔を開けて夫々装着固定することによって行う（図７）。
（４）この固定は、ブラケット付取付桟３、３に後支持柱５１をねじ締結することにより行う（図１０）。
すなわち、取付片５６の上辺５６ａと取付ねじ５７の先端との間に、ブラケット付取付桟３、３を配設して、取付ねじ５７にて締結することによって、既存什器２にフェースアウト陳列補助具４を装着固定することができる（図７）。
尚、これらブラケット付取付桟３、３に後支持柱５１を装着固定するのは、上記実施例のねじ締結に限られることなく、溶接等により固定するものでも良いのは勿論である。
（５）次に、上記各支持体５に各係止体６を係止させる（図７と図１１〜図１２）。
この係止体６の係止は、各支持体５の後支持柱５１と前支持柱５２の前面５１ａ、５２ａの上部に２列に並行配列されて所定間隔で開設されている多数の矩形スリット状の係止孔５８、５８………の何れかに、所定間隔で並行配列することで支持強度を向上させた多数の係止突起６１ａを着脱自在に係止することによって、後支持柱５１と前支持柱５２に夫々係止固定することによって行う（図７と図１１〜図１２）。
（６）この係止体６の係止は、多数商品を陳列する際に、多数商品の前面を見易くして展示陳列することにより、陳列商品主体の陳列ができるので、需要を喚起して販売促進効果を向上できるように、後支持柱５１に係止する係止具６１が、前支持柱５２に係止する係止具６１よりも高さが高くなって前後に段差ができるようにして行う。
（７）さらに、各支持体５に各係止体６を係止させることで、各係止体６のＬ字状フック６２の水平部分に、商品を掛けた衣料用ハンガーを係止できる状態にすることが出来る。
（８）次に、この複数のＬ字状フック６２の水平部分に、多数の衣料用ハンガーのフック部分を係止して、ストッパ６３、６３にて脱落を阻止する（図７）。
（９）このようにして、フェースアウト陳列補助具４に多数の衣料用ハンガーを係止することで、前後左右に段差を設けて多数の商品を陳列して陳列することができる。
尚、図４〜図１２に良く示されているように、
これらブラケット付取付桟３、３に代えて、既存什器２の上部と下部に配設された上梁２３と下梁２４とに後支持柱５１を装着固定することができ、前記実施例と同要領にて、取付片５６の上辺５６ａと取付ねじ５７の先端（上端）との間に、
上梁２３または下梁２４を配設して、
取付ねじ５７にて締結することによって、複数のフェースアウト陳列補助具４を前記既存什器２に所定間隔を開けて装着固定することができる。【００３４】  このように、本考案のフェースアウト陳列補助具４によれば、
前後に段違いに配設された複数のフック６２にて多数商品を簡単かつ確実に陳列でき、陳列作業を迅速に行うことができると共に、多数商品の前面を見易くして展示陳列することにより、陳列する商品主体の陳列できるので、需要を喚起して販売促進効果を向上でき、従来技術の問題点の解消を図り、使用勝手を飛躍的に向上できるものである（図７）。【００３５】  尚、本考案のフェースアウト陳列補助具４は、上記実施例の構成に限られることなく、上記実施例の構成に追加することや、他の構成で置換することができるのは勿論であり、例えば、次のようなものがある。【００３６】（１）既存什器２に本考案のフェースアウト陳列補助具４を装着させるのは、上記実施例の上梁２３と下梁２４またはブラケット付取付桟６、６とに後支持柱５１をねじ締結することによって行うもの限られることなく、溶接等により固定するものであっても良いのは勿論である。
（２）支持体５の支持柱の数は、上記実施例の後支持柱５１と前支持柱５２とからなる２個に限られることなく、３個以上とするものであっても良いのは勿論であり、前後に段差を設けて装着させることにより、目的に応じて陳列して陳列するアンダーウェア等の多数の商品Ｇの数を増加させることができる利点がある。
【図面の簡単な説明】
【００３７】
【図１】従来例のフェースアウト陳列具の例を示す斜視図であり、ａは商品陳列前、ｂは商品陳列例を示す斜視図である。
【図２】従来例のフェースアウト陳列具の別例を示す斜視図である。ｃは商品陳列前、ｄは商品陳列例を示す斜視図である。
【図３】同陳列具の変形状態を示す図である。ｅは商品陳列例を示す側面図、ｆは同商品を外した状態を示す斜視図である。
【図４】本考案に使用する既存什器を示す斜視図である。ｇは既存什器、ｈは既存什器に本考案のブラケット付取付桟を装着した例を示す斜視図である。
【図５】同ブラケット付取付桟の分離状態を示す斜視図である。
【図６】同ブラケット付取付桟の一体状態を示す断面図である。
【図７】既存什器に本考案フェースアウト陳列補助具の装着例を示す斜視図である。ｉは商品陳列前、ｊは商品陳列例を示す斜視図である。
【図８】本考案フェースアウト陳列補助具の支持体を示す斜視図である。ｋは正面斜視図、ｌは背面斜視図である。
【図９】同支持体を示す図である。ｍは正面図、ｎは背面図、ｐは側面図である。
【図１０】同支持体を既存什器に装着した例を示す図である。ｑは斜視図、ｒは側面図、ｓは断面図である。
【図１１】本考案のフェースアウト陳列補助具の係止体を示す拡大図である。ｔは背面斜視図、ｕは支持体に装着した例を示す断面図である。
【図１２】同係止体を示す図である。ｖは正面図、ｗは背面図、ｘは支持体に装着した例を示す正面図である。
【符号の説明】
【００３８】１      什器
２      既存什器
３      ブラケット付取付桟
４      フェースアウト陳列補助具
５      支持体
６      係止体
２１    基台
２２    支柱
２２ａ  前面
２２ｂ  取着孔
２３    上梁
２４    下梁
３１    取付桟
３２    嵌合桟
３３    ブラケット
３３ａ  係止突起
５１    後支持柱
５１ａ  前面
５２    前支持柱
５２ａ  前面
５３    下桟
５４    上桟
５５    取付体
５６    取付片
５６ａ  取付片の上辺
５７    取付ねじ
５８    係止孔
６１    係止具
６１ａ  係止突起
６２    フック
６３    ストッパ
Ａ      アングル状フック
Ｃ      クランク状フック
Ｇ      商品
【図１】
0003121264.tif 000003
【図２】
0003121264.tif 000004
【図３】
0003121264.tif 000005
【図４】
0003121264.tif 000006
【図５】
0003121264.tif 000007
【図６】
0003121264.tif 000008
【図７】
0003121264.tif 000009
【図８】
0003121264.tif 000010
【図９】
0003121264.tif 000011
【図１０】
0003121264.tif 000012
【図１１】
0003121264.tif 000013
【図１２】
0003121264.tif 000014